【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
スプールに巻回したテープをカセットケースに収容するとともに、該カセットケースの所定の面に凹部を形成し、前記スプール及び前記凹部を印字装置に対応して異なる位置に配置した複数種類のテープカセットが交換可能に装着されるカセット装着部と、
前記カセット装着部に装着された前記テープカセットからテープを引き出して順方向に搬送する一方、該テープを逆方向に搬送して前記テープカセットに戻すテープ搬送手段と、
前記テープ搬送手段によって順方向及び逆方向に搬送されるテープに多色印字を行う印字手段とを備え、
前記テープ搬送手段は、前記複数種類のテープカセットの各スプールに対応して前記カセット装着部に配設されて、前記各スプールに係合し回転駆動されることにより前記各スプールにテープを巻き戻す複数のテープ巻戻し軸を備え、
前記複数の各テープ巻戻し軸は、前記カセット装着部に装着される前記複数種類のテープカセットのうちで対応関係のあるテープカセットに対しては、当該テープカセットのスプールと係合し、対応関係のないテープカセットに対しては、当該テープカセットの凹部内に収容されることを特徴とする印字装置。
【請求項２】
スプールに巻回したテープをカセットケースに収容するとともに、前記スプールには前記カセットケースの所定の面より外方に突出させて係合部を形成し、該係合部を印字装置に対応して異なる位置に配置した複数種類のテープカセットが交換可能に装着されるカセット装着部と、
前記カセット装着部に装着された前記テープカセットからテープを引き出して順方向に搬送する一方、該テープを逆方向に搬送して前記テープカセットに戻すテープ搬送手段と、
前記テープ搬送手段によって順方向及び逆方向に搬送されるテープに多色印字を行う印字手段とを備え、
前記テープ搬送手段は、前記複数種類のテープカセットの各スプールに対応して前記カセット装着部の所定の面以下に配設され、前記カセット装着部に装着される前記複数種類のテープカセットのうちで対応関係のあるテープカセットの前記係合部と係合し回転駆動されることにより当該テープカセットのスプールにテープを巻き戻す複数のテープ巻戻し軸を備えることを特徴とする印字装置。
【請求項３】
前記複数のテープ巻戻し軸は共通の駆動機構によって同時に駆動されることを特徴とする請求項１又は２に記載の印字装置。
【請求項４】
スプールに巻回したテープをカセットケースに収容した複数のテープカセットであって、前記テープカセットが装着されるカセット装着部と、
前記カセット装着部に装着された前記テープカセットからテープを引き出して順方向に搬送する一方、該テープを逆方向に搬送するべく前記複数のテープカセットに個別に対応して前記カセット装着部内に設けられる複数のテープ巻取り軸を回転駆動し前記テープカセット内にテープを巻き戻すテープ搬送手段と、
前記テープ搬送手段によって順方向及び逆方向に搬送されるテープに多色印字を行う印字手段とを備えた印字装置に装着されるテープカセットにおいて、
前記複数の各テープカセットには、当該各テープカセットが前記カセット装着部に装着された状態で、前記複数のテープ巻戻し軸のうちで対応関係のあるテープ巻戻し軸に係合するべく、当該テープ巻戻し軸に対応してカセットケースにスプールを配設するとともに、前記複数のテープ巻戻し軸のうちで対応関係のないテープ巻戻し軸の干渉を回避するべく、当該テープ巻戻し軸を収容する凹部をカセットケースに形成したことを特徴とするテープカセット。
【請求項５】
前記スプールには、その軸方向の端部で、前記対応関係のあるテープ巻戻し軸に対向する側に当該テープ巻戻し軸に係合する係合部を備えることを特徴とする請求項４に記載のテープカセット。
【請求項６】
スプールに巻回したテープを形状の異なるカセットケースに収容した複数のテープカセットであって、前記テープカセットが装着されるカセット装着部と、
前記カセット装着部に装着された前記テープカセットからテープを引き出して順方向に搬送する一方、該テープを逆方向に搬送するべく前記複数のテープカセットに個別に対応して前記カセット装着部の内底部の底面以下に設けられる複数のテープ巻取り軸を備え、
該テープ巻取り軸を回転駆動し前記テープカセット内にテープを巻き戻すテープ搬送手段と、
前記テープ搬送手段によって順方向及び逆方向に搬送されるテープに多色印字を行う印字手段とを備えた印字装置に装着されるテープカセットにおいて、
前記複数の各テープカセットには、当該テープカセットが前記カセット装着部に装着された状態で、前記複数のテープ巻取り軸のうちで対応関係のあるテープ巻取り軸に係合するべく、当該テープ巻戻し軸に対応してカセットケースにスプールを配設するとともに、該スプールの軸方向の端部にカセットケースの所定の面より外方に突出する係合部を設けたことを特徴とするテープカセット。
【手続補正２】
【補正対象書類名】明細書
【補正対象項目名】００１２
【補正方法】変更
【補正の内容】
【００１２】
本発明は、前記のような問題に鑑みなされたもので、複数種類の多色印字用のテープカセットに対応したテープ巻戻し手段を備えた多色印字機能を有する印字装置にあって、複数種類のテープカセットをカセット装着部に装着するときに、他のテープカセットに対応するテープ巻戻し手段によって干渉されずに装着作業を行うことができ、複数種類の多色印字用のテープカセットを交換可能に使用できる印字装置、その印字装置に使用するテープカセットを提供することを目的とする。
【手続補正３】
【補正対象書類名】明細書
【補正対象項目名】００１３
【補正方法】変更
【補正の内容】
【００１３】
【課題を解決するための手段】
第１の発明に係る印字装置は、スプールに巻回したテープをカセットケースに収容するとともに、該カセットケースの所定の面に凹部を形成し、前記スプール及び前記凹部を印字装置に対応して異なる位置に配置した複数種類のテープカセットが交換可能に装着されるカセット装着部と、前記カセット装着部に装着された前記テープカセットからテープを引き出して順方向に搬送する一方、該テープを逆方向に搬送して前記テープカセットに戻すテープ搬送手段と、前記テープ搬送手段によって順方向及び逆方向に搬送されるテープに多色印字を行う印字手段とを備え、前記テープ搬送手段は、前記複数種類のテープカセットの各スプールに対応して前記カセット装着部に配設されて、前記各スプールに係合し回転駆動されることにより前記各スプールにテープを巻き戻す複数のテープ巻戻し軸を備え、前記複数の各テープ巻戻し軸は、前記カセット装着部に装着される前記複数種類のテープカセットのうちで対応関係のあるテープカセットに対しては、当該テープカセットのスプールと係合し、対応関係のないテープカセットに対しては、当該テープカセットの凹部内に収容されることを特徴とする。
【手続補正４】
【補正対象書類名】明細書
【補正対象項目名】００１４
【補正方法】変更
【補正の内容】
【００１４】
この第１の発明に係る印字装置によれば、複数種類のテープカセットの夫々に対応して設けられるテープ巻戻し軸が、それらの複数種類のテープカセットとの関係では、対応関係のあるテープカセットに対しては、そのスプールに係合し、対応関係のないテープカセットに対しては、そのカセットケースに形成される凹部に収容されるため、複数種類のテープカセットをカセット装着部に装着するときに、他のテープカセットに対応するテープ巻戻し手段によって干渉されずに装着作業を行うことができ、複数種類の多色印字用のテープカセットを交換可能に使用することができる。
【手続補正５】
【補正対象書類名】明細書
【補正対象項目名】００１５
【補正方法】変更
【補正の内容】
【００１５】
また、第２の発明に係る印字装置は、スプールに巻回したテープをカセットケースに収容するとともに、前記スプールには前記カセットケースの底面より外方に突出させて係合部を形成し、該係合部を印字装置に対応して異なる位置に配置した複数種類のテープカセットが交換可能に装着されるカセット装着部と、前記カセット装着部に装着された前記テープカセットからテープを引き出して順方向に搬送する一方、該テープを逆方向に搬送して前記テープカセットに戻すテープ搬送手段と、前記テープ搬送手段によって順方向及び逆方向に搬送されるテープに多色印字を行う印字手段とを備え、前記テープ搬送手段は、前記複数種類のテープカセットの各スプールに対応して前記カセット装着部の所定の面以下に配設され、前記カセット装着部に装着される前記複数種類のテープカセットのうちで対応関係のあるテープカセットの前記係合部と係合し回転駆動されることにより当該テープカセットのスプールにテープを巻き戻す複数のテープ巻戻し軸を備えることを特徴とする。
【手続補正６】
【補正対象書類名】明細書
【補正対象項目名】００１６
【補正方法】変更
【補正の内容】
【００１６】
この第２の発明に係る印字装置によれば、スプールにカセットケースの所定の面から外方に向けて突設された係合部を形成してなる複数種類のテープカセットに対応して、カセット装着部の所定の面以下に、それらテープカセットの各係合部と係合するテープ巻戻し軸を備えることで、複数種類のテープカセットをカセット装着部に装着するときに、他のテープカセットに対応するテープ巻戻し軸によって干渉されずに装着作業を行うことができ、複数種類の多色印字用のテープカセットを交換可能に使用することができる。
【手続補正７】
【補正対象書類名】明細書
【補正対象項目名】００１７
【補正方法】変更
【補正の内容】
【００１７】
また、第１の発明に係るテープカセットは、スプールに巻回したテープをカセットケースに収容した複数のテープカセットであって、前記テープカセットが装着されるカセット装着部と、前記カセット装着部に装着された前記テープカセットからテープを引き出して順方向に搬送する一方、該テープを逆方向に搬送するべく前記複数のテープカセットに個別に対応して前記カセット装着部内に設けられる複数のテープ巻取り軸を回転駆動し前記テープカセット内にテープを巻き戻すテープ搬送手段と、前記テープ搬送手段によって順方向及び逆方向に搬送されるテープに多色印字を行う印字手段とを備えた印字装置に装着されるものにおいて、前記複数の各テープカセットには、当該各テープカセットが前記カセット装着部に装着された状態で、前記複数のテープ巻戻し軸のうちで対応関係のあるテープ巻戻し軸に係合するべく、当該テープ巻戻し軸に対応してカセットケースにスプールを配設するとともに、前記複数のテープ巻戻し軸のうちで対応関係のないテープ巻戻し軸の干渉を回避するべく、当該テープ巻戻し軸を収容する凹部をカセットケースに形成したことを特徴とする。
【手続補正８】
【補正対象書類名】明細書
【補正対象項目名】００１９
【補正方法】変更
【補正の内容】
【００１９】
さらに、第２の発明に係るテープカセットは、スプールに巻回したテープをカセットケースに収容した複数のテープカセットであって、前記テープカセットが装着されるカセット装着部と、前記カセット装着部に装着された前記テープカセットからテープを引き出して順方向に搬送する一方、該テープを逆方向に搬送するべく前記複数のテープカセットに個別に対応して前記カセット装着部の所定の面以下に設けられる複数のテープ巻取り軸を備え、該テープ巻取り軸を回転駆動し前記テープカセット内にテープを巻き戻すテープ搬送手段と、前記テープ搬送手段によって順方向及び逆方向に搬送されるテープに多色印字を行う印字手段とを備えた印字装置に装着されるものにおいて、前記複数の各テープカセットには、当該テープカセットが前記カセット装着部に装着された状態で、前記複数のテープ巻取り軸のうちで対応関係のあるテープ巻取り軸に係合するべく、当該テープ巻戻し軸に対応してカセットケースにスプールを配設するとともに、該スプールの軸方向の端部にカセットケースの所定の面より外方に突出する係合部を設けたことを特徴とする。
【手続補正９】
【補正対象書類名】明細書
【補正対象項目名】００２０
【補正方法】変更
【補正の内容】
【００２０】
この第２の発明に係るテープカセットによれば、スプールの軸方向の端部にカセットケースの底面より外方に突出して係合部を設け、この係合部を、印字装置のカセット装着部の所定の面以下に設けられるテープ巻戻し軸に係合するようにしたことで、複数種類のテープカセットをカセット装着部に装着するときに、他のテープカセットに対応するテープ巻戻し手段によって干渉されずに装着作業を行うことができる。
【手続補正１０】
【補正対象書類名】明細書
【補正対象項目名】００９２
【補正方法】変更
【補正の内容】
【００９２】
【発明の効果】
以上のように、本発明に係る印字装置によれば、複数種類のテープカセットに対応したテープ巻戻し手段を備えた多色印字機能を有する印字装置にあって、前記複数種類のテープカセットをカセット装着部に装着するときに、他のテープカセットに対応するテープ巻戻し手段によって干渉されずに装着作業を行うことができ、２種類の多色印字用のテープカセットを交換可能に使用することができる。
【手続補正１１】
【補正対象書類名】明細書
【補正対象項目名】００９３
【補正方法】変更
【補正の内容】
【００９３】
また、本発明に係るテープカセットによれば、印字装置に設けられる他のテープカセットに対応するテープ巻戻し手段によって干渉されずに装着作業を行うことができ、多色印字用の印字装置に、例えばテープの収容量が異なるために形状が大小異なる複数種類のものを対応させて使用することができる。